(57)【要約】【課題】  指針の発光輝度を向上させることが可能な指針式計器を提供する。【解決手段】  第１の透視部３１とこの第１の透視部３１の周囲に形成される指標部３２とを有する指標板３と、第１の透視部３１に対応する第２の透視部５１を有する回転体５と、この回転体５に固定され第１の透視部３１の周囲を指標部３２に沿って移動する透光性材料からなる指針４と、回転体５を回転駆動し指針４を移動させる駆動装置６と、指標板３の背後に配置され第１，第２の透視部３１，５１を通じて観察者に所定情報を表示する表示装置６と、指針４をその背後からの光により照明する照明手段８とを備え、照明手段８が指針４の移動経路に沿って設けられる導光部材８１と、この導光部材８１を発光させる複数の光源８２とからなる。【選択図】  図１
2005189168.tif 000002
【特許請求の範囲】
【請求項１】
第１の透視部とこの第１の透視部の周囲に形成される指標部とを有する指標板と、
前記第１の透視部に対応する第２の透視部を有する回転体と、
この回転体に固定され前記第１の透視部の周囲を前記指標部に沿って移動する透光性材料からなる指針と、
前記回転体を回転駆動し前記指針を移動させる駆動装置と、
前記指標板の背後に配置され前記第１，第２の透視部を通じて観察者に所定情報を表示する表示装置と、
前記指針をその背後からの光により照明する照明手段とを備え、
前記照明手段が前記指針の移動経路に沿って設けられる導光部材と、この導光部材を発光させる複数の光源とからなることを特徴とする指針式計器。
【請求項２】
第１の透視部とこの第１の透視部の周囲に形成される指標部とを有する指標板と、
前記第１の透視部に対応する第２の透視部を有する回転体と、
この回転体に固定され前記第１の透視部の周囲を前記指標部に沿って移動する透光性材料からなる指針と、
前記回転体を回転駆動し前記指針を移動させる駆動装置と、
前記指標板の背後に配置され前記第１，第２の透視部を通じて観察者に所定情報を表示する表示装置と、
前記指針をその背後からの光により照明する照明手段とを備え、
前記照明手段が前記指針の移動経路に沿って設けられる自発光型表示素子からなることを特徴とする指針式計器。
【請求項３】
第１の透視部とこの第１の透視部の周囲に形成される指標部とを有する指標板と、
前記第１の透視部に対応する第２の透視部を有する回転体と、
この回転体に固定され前記第１の透視部の周囲を前記指標部に沿って移動する透光性材料からなる指針と、
前記回転体を回転駆動し前記指針を移動させる駆動装置と、
前記指標板の背後に配置され前記第１，第２の透視部を通じて観察者に所定情報を表示する表示装置と、
前記指針をその背後からの光により照明する照明手段とを備え、
前記照明手段が光源と、前記指針の移動経路に沿って設けられ前記光源の光を前記指針側に反射する反射体とからなることを特徴とする指針式計器。
【請求項４】
前記反射体が前記光源の光を放射状に反射する第１の反射部と、前記光源の光を前記指針側に反射する第２の反射部とを有することを特徴とする請求項３記載の指針式計器。
【発明の詳細な説明】
【技術分野】
【０００１】
本発明は、例えば自動車を代表とする車両に搭載される指針式計器に関し、特に指標板の中央領域に貫通部または透明部からなる透視部が形成され、この透視部を通じて指標板の背後に配置される液晶表示装置のごとき表示装置を視認させると共に、透視部の外周にて指針式表示を行う指針式計器（以降、便宜上、センターレスタイプの指針式計器と称する）に関する。
【背景技術】
【０００２】
従来、この種のセンターレスタイプの指針式計器として、例えば下記特許文献１に記載のものが知られている。この特許文献１に記載の指針式計器は、中央部領域に貫通孔状の透視部を有する環状の文字板と、この文字板の透視部に臨む液晶表示板と、この液晶表示板を取り巻くように文字板を背後から保持する内側円筒体と、この内側円筒体内に収納される光源と、内側円筒体の周囲にベアリングを介して回転可能に保持される外側円筒体と、文字板の外縁を迂回するように外側円筒体に装着され文字板上に延びる指針と、文字板と内側円筒体との間に介在し透視部に対応した貫通部を有する環状の導光体とを備えている。そして、外側円筒体の内周面には環状マグネットが固定されていると共に内側円筒体の外周面には環状マグネットに対向する環状コイルが固定されており、環状コイルへの電力供給によって外側円筒体に固定された環状マグネットが回動することにより文字板上に延びる指針を移動させる構成である。また、光源の点灯時には、この光源の光が導光板の貫通部を通過して文字板や液晶表示板側に至り、この光で文字板並びに液晶表示板を照明すると同時に、光源の光の一部は導光板を経て指針にも入光し、この指針に入光した光によって指針を照明していた。
【特許文献１】特開平４−２２３２２２号公報
【発明の開示】
【発明が解決しようとする課題】
【０００３】
しかしながら、特許文献１に記載のセンターレスタイプの指針式計器では、指針が文字板の外縁を迂回して文字板上に引き回されており、しかも単一光源の光の一部が導光体を通じて文字板の外縁を迂回する指針内に供給される構成であるため、特に文字板上に引き回される指針側に至る光量が不足し、これに伴い指針の発光輝度が低下してしまうという問題があった。
そこで本発明は、前述の課題に対して対処するため、指針の発光輝度を向上させることが可能な指針式計器の提供を目的とするものである。
【課題を解決するための手段】
【０００４】
本発明は、第１の透視部とこの第１の透視部の周囲に形成される指標部とを有する指標板と、前記第１の透視部に対応する第２の透視部を有する回転体と、この回転体に固定され前記第１の透視部の周囲を前記指標部に沿って移動する透光性材料からなる指針と、前記回転体を回転駆動し前記指針を移動させる駆動装置と、前記指標板の背後に配置され前記第１，第２の透視部を通じて観察者に所定情報を表示する表示装置と、前記指針をその背後からの光により照明する照明手段とを備え、前記照明手段が前記指針の移動経路に沿って設けられる導光部材と、この導光部材を発光させる複数の光源とからなることを特徴とする。
【０００５】
また本発明は、第１の透視部とこの第１の透視部の周囲に形成される指標部とを有する指標板と、前記第１の透視部に対応する第２の透視部を有する回転体と、この回転体に固定され前記第１の透視部の周囲を前記指標部に沿って移動する透光性材料からなる指針と、前記回転体を回転駆動し前記指針を移動させる駆動装置と、前記指標板の背後に配置され前記第１，第２の透視部を通じて観察者に所定情報を表示する表示装置と、前記指針をその背後からの光により照明する照明手段とを備え、前記照明手段が前記指針の移動経路に沿って設けられる自発光型表示素子からなることを特徴とする。
【０００６】
また本発明は、第１の透視部とこの第１の透視部の周囲に形成される指標部とを有する指標板と、前記第１の透視部に対応する第２の透視部を有する回転体と、この回転体に固定され前記第１の透視部の周囲を前記指標部に沿って移動する透光性材料からなる指針と、前記回転体を回転駆動し前記指針を移動させる駆動装置と、前記指標板の背後に配置され前記第１，第２の透視部を通じて観察者に所定情報を表示する表示装置と、前記指針をその背後からの光により照明する照明手段とを備え、前記照明手段が光源と、前記指針の移動経路に沿って設けられ前記光源の光を前記指針側に反射する反射体とからなることを特徴とする。
【０００７】
また本発明は、前記反射体が前記光源の光を放射状に反射する第１の反射部と、前記光源の光を前記指針側に反射する第２の反射部とを有することを特徴とする。
【発明の効果】
【０００８】
本発明によれば、初期の目的を達成でき、指針の発光輝度を向上させることが可能な指針式計器を提供できる。
【発明を実施するための最良の形態】
【０００９】
（第１実施形態）以下、図面に基づいて本発明による指針式計器の第１実施形態について説明する。図１〜図５は、本発明の第１実施形態を示すもので、図１は本発明の第１実施形態による指針式計器の正面図、図２は図１のＡ−Ａ断面図、図３は同実施形態による駆動装置と回転体との連結状態、並びに回転体に固定される指針を示す斜視図、図４は図２中、Ｂ部を拡大して示す要部断面図、図５は同実施形態による指針を照明する照明手段を示す斜視図である。
【００１０】
本実施形態による指針式計器は、図１〜図３に示すように、配線基板１と、この配線基板１上に配置される表示装置２と、この表示装置２の周囲を覆うように配置される指標板３と、この指標板３の前方に位置し指標板３の後述する指標部を指示する指針４と、この指針４が固定される回転体５と、この回転体５を回転駆動させる駆動装置６と、回転体５を回転可能に支持する支持部材７と、指針４を照明する照明手段８と、指標板３の前記指標部並びに指針４を露出させるための被覆パネル９とから構成されている。
【００１１】
配線基板１は、例えば硬質の回路基板からなり、表示装置２や駆動装置６、照明手段８の後述する光源の動作を制御する図示しない駆動制御回路が搭載されている。
【００１２】
表示装置２は、例えばＴＦＴ（薄膜トランジスタ）型の液晶表示素子または有機電界発光素子からなる表示パネルを枠体内に組み込んでなり、前記表示パネルの表示面が観察者に臨むように、配線基板１上に配置されている。なお表示装置２の表示情報は任意であるが、一例として例えば走行距離情報、ナビゲーション情報、シフトポジション情報、外気温情報の他、各種映像情報が挙げられる。
【００１３】
指標板３は、その中央部領域に例えば円形の貫通孔からなる第１の貫通部（第１の透視部）３１の形成された概略円環形状の板材からなり、この場合、第１の貫通部３１は表示装置２の前記表示面に対応して開口形成されている。そして、第１の透視部３１の周囲には、指針４の移動経路に沿って円弧状に配列された文字や目盛等の指標部３２が設けられている。これら指標部３２は、透光性合成樹脂材からなる基材上にスクリーン印刷等の手段により形成されている。なお、第１の貫通部３１は、貫通孔ではなく透明部であってもよい。
【００１４】
指針４は、透光性の合成樹脂からなり、図３に示すように回転体５の後述する指針固定部に装着固定される概略扇形形状からなる基部４１と、この基部４１から指標板３上に向けて延びる線状の指示部４２とを有している。この場合、基部４１はその外側の一部（図３中、点線Ｐの左側）が回転体５の周囲に露出するように前記指針固定部に装着固定されており、この回転体５の周囲に露出した基部４１の露出部４３の背面は支持部材７の後述する開口部に対向している。
【００１５】
すなわち、露出部４３の背面には支持部材７の前記開口部を通過する背後（照明手段８）からの光を受光する受光部４４が設けられ、さらにこの受光部４４の真上となる露出部４３の表面には受光部４４を通じて基部４１内に採り入れた光を指針４の先端側となる指示部４２側に拡散反射させるための傾斜形状からなる反射面４５が設けられている。なお、４６は指示部４２の表面に形成される赤色の透光性ホットスタンプ層である（図４参照）。
【００１６】
回転体５は、指標板３の第１の貫通部３１に対応した円形の貫通孔からなる第２の貫通部（第２の透視部）５１を有する概略円環形状の板材からなり、その材質は合成樹脂からなる。この回転体５には、歯車部５２と、指針固定部５３とが形成されている。
【００１７】
歯車部５２は、回転体５の指針固定部５３を除いた環状円板部５４外周の全周にわたって形成されており、駆動装置６の後述する駆動歯車に連結される。指針固定部５３は、第２の貫通部５１を取り巻く環状円板部５４の一部に切り欠き形成された凹部からなり、この凹部に指針４の指示部４２と露出部４３との間に位置する基部４１箇所が嵌め込まれている。なお、図４中、５５は支持部材７の後述する内側環状突出部の外縁に案内される環状突出部であり、第２の貫通部５１の全周に設けられている。また、第２の貫通部５１は貫通部ではなく、透明部であってもよい。
【００１８】
駆動装置６は、例えばステッピングモータや交差コイル式ムーブメントからなり、回転体５の環状円板部５４の外側（回転体５の外周側）に位置しており、その回転軸６１には、回転体５の歯車部５２に連結される駆動歯車６２が固定されている。そして、駆動装置６の回転軸６１が計測量に応じて回転することにより、回転体５の指針固定部５３に固定された指針４が指標板３の第１の貫通部３１の周囲を指標部３２に沿って移動するようになっている。なお、本実施形態の場合、駆動装置６は支持部材７の一部に切り欠き形成された図示しない切り欠き部に配設されている。
【００１９】
支持部材７は、第２の貫通部５１に対応する第３の貫通部７１を有する概略円環形状の板材からなり、その材質は合成樹脂からなる。この支持部材７には、図４に示すように内側環状突出部７２と、外側環状突出部７３と、底壁部７４とで略「Ｕ」字形の溝が形成されている。また、支持部材７は回転体５の背後に配置され、回転体５を支持している。なお、第３の貫通部７１は貫通部ではなく、透明部であってもよい。
【００２０】
内側環状突出部７２は、第３の貫通部７１を取り巻くように指針４側（上側）に延び、またその外形は第２の貫通部５１の開口より径小である。なお、内側環状突出部７２の背面（下側）には概略円環形状の切り欠き部からなる溝部７５が形成されており、この溝部７５に指標板３の外周部が嵌合固定されている。また、内側環状突出部７２の内壁面には、この内壁面よりも外側に位置する回転体５や支持部材７等の内機部品が視認されるのを防止するための黒色印刷層が施されている。
【００２１】
外側環状突出部７３は、内側環状突出部７２の外側に位置しており、指針４や回転体５を取り囲むように被覆パネル９側（上側）に延び被覆パネル９を背後から支持している。そして、両突出部７２，７３の間に位置する底壁部７４には回転体５の環状円板部５４側に向けて隆起形成された隆起部７６が形成され、また底壁部７４における隆起部７６の外側には底壁部７４を貫通する概略円環形状の開口部７７が形成されている。
【００２２】
隆起部７６は、断面略凸部形状からなり、その表面は曲面（半球）形状に設定されている。そして、本実施形態では隆起部７６が環状円板部５４に沿うように等間隔に３つ形成されている。従って、回転体５の支持部材７への組み付け時には、内側環状突出部７２が第２の貫通部５１内に挿入（案内）されることで、回転体５は支持部材７によって支持されるが、このとき回転体５はその環状円板部５４背面が隆起部７６に点接触するように支持部材７によって支持されるため、回転体５と支持部材７との摩擦抵抗が抑えられ、これにより回転体５を円滑に回転させることが可能となる。
【００２３】
開口部７７は、隆起部７６と外側環状突出部７３との間に位置しており、背後からの光を前方側（指針４の受光部４４）に導くための透光部としての機能を有している。
【００２４】
照明手段８は、導光部材８１とこの導光部材８１を発光させる光源８２とで構成される（図１参照）。導光部材８１は、透光性合成樹脂からなり、指針４の移動経路に沿った略馬蹄形状に形成され、支持部材７の開口部７７に臨むように配線基板１と支持部材７との間に位置している。この場合、導光部材８１は例えば接着等の所定の手段を用いて支持部材７に固定されており、また導光部材８１の外形は、回転体５の外形よりもやや径大に設定されている。
【００２５】
また、導光部材８１は、図５に示すように光源８２からの光を入射する入射部８１ａと、この入射部８１ａを通じて導光部材８１内に採り入れた光を導光部材８１の表面側に拡散反射させるための反射面８１ｂと、この反射面８１ｂによって導光部材８１の表面側に拡散反射された反射光を支持部材７の開口部７７内に出射するための出射部８１ｃとを備えており、反射面８１ｂは導光部材８１の底面で、また出射部８１ｃは反射面８１ｂと対向する導光部材８１の表面である。
【００２６】
入射部８１ａは、有端状導光部材８１の両端面で、図５中、前記両端面に隣接して２つの光源８２がそれぞれ配置されている。また、各入射部８１ａ、出射部８１ｃ以外の面となる導光部材８１の一対の側面部８１ｄ並びに反射面８１ｂには光反射率の高い遮光性の白色系インクにより図示しない白色印刷層が施されており、これにより各入射部８１ａを通じて導光部材８１内に供給された各光源８２の光のうち、側面部８１ｄにあたった光は導光部材８１の長手方向に導光され、また反射面８１ｂにあたった光は出射部８１ｃ側に拡散反射されるようになっている。
【００２７】
各光源８２は、例えば白色光を発するチップ型発光ダイオードからなり、その発光面が導光部材８１の各入射部８１ａに対向するように図示しない回路基板上に搭載されている。この回路基板は配線基板１と例えば導体（ＦＰＣ）を介して電気的に接続されており、配線基板１の前記駆動制御回路からの駆動信号に基づいて光源８２が点灯する。
【００２８】
被覆部材９は、指標部３２、指示部４２以外の領域を遮蔽するように指針４の前方に配置されている。
【００２９】
このような構成において、前記駆動信号に基づいて各光源８２が点灯すると、各光源８２から発せられた光は、これに対向する各入射部８１ａを通じて導光部材８１内に入射され、この入射光は側面部８１ｄにあたって導光部材８１の長手方向に導光され、この光が反射面８１ｂにあたって出射部８１ｃから出射されるようになっている。この際、前記各入射光は反射面８１ｂ、側面部８１ｄを通じて導光部材８１の全ての領域に拡散反射されるようになっているため出射部８１ｃ全体が略均一に面状発光し、この光が開口部７７内に出射される。
【００３０】
この開口部７７内に出射された出射光は、開口部７７を通過して回転体５の外縁に沿うように出射される。一方、指針４は駆動装置６の回転駆動により指標部３２に沿って移動しており、指針４の受光部４４が回転体５の外縁に沿い略環状に発光された光の一部を受光する。なお、本実施形態では指標部３２に対応して照明手段８からの光が略環状に発光しているため、指針４が指標部３２のあらゆる場所に位置している場合でも、照明手段８からの光を受光部４４に受光させることが可能となる。しかも、この場合、受光部４４が略扇形形状に形成されていることで、この受光部４４を通じて指針４の基部４１内により多くの光を供給することができる。
【００３１】
そして、略扇形形状からなる指針４の受光部４４がその背後からの白色光を受光すると、この白色光は基部４１内に供給され受光部４４の真上に位置する反射面４５に到達する。この反射面４５に到達した光は反射面４５によって指示部４２の先端側に反射導光され、この反射光が赤色の透光性ホットスタンプ層４６を透過して指示部４２が赤色に発光する。従って、指示部４２側に反射導光される光は、複数の光源８２と指針４の移動経路に沿って設けられた導光部材８１を備えた照明手段８から発せられた光の一部を受光部４４を通じて導いたものであるため、指示部４２をその先端まで十分な明るさで光輝させることができ、従来のように指針の発光輝度が低下してしまうといった不具合を解消することが可能となる。
【００３２】
また本実施形態では、２つの光源８２が導光部材８１の一対の入射部８１ａにそれぞれ対向配置された場合について説明したが、本発明はこれに限定されることはなく、例えば２つの光源８２の他に導光部材８１の中央部に別途、光源を配置して３つの光源の光を導光部材８１内に供給するようにしてもよい。
なお、この際、導光部材８１の中央部に配置された前記光源と対向する導光部材８１の側面箇所は前記白色印刷層の形成されない抜き部となっている。
【００３３】
また本実施形態では、入射部８１ａを通じて導光部材８１内に入射された光が導光部材８１の長手方向に導光される場合について説明したが、本発明はこれに限定されることはなく、例えば光源８２を導光部材８１の一方の側面部８１ｄと対向するように略円弧状に複数個配置して、複数の光源８２の光を導光部材８１の長手方向とは直交する方向に入射してもよい。なお、この際、各光源８２と対向する一方の側面部８１ｄ箇所には前記白色印刷層を設けなくてもよい。
【００３４】
（第２実施形態）図６は本発明の第２実施形態を示しており、本実施形態では導光部材８１の両端面（各入射部８１ａ）に配線基板１側に垂れ下がる延長部８３をそれぞれ延長形成した場合を示している。すなわち、延長部８３は導光部材８１に一体形成され、導光部材８１の長手方向とは直交する方向となる配線基板１側に延在している。
【００３５】
この各延長部８３は、配線基板１上に搭載される各光源８２の光を入射する入射部８３ａと、この入射部８３ａの上方に位置し入射部８３ａを通じて延長部８３内に入射された光を導光部材８１側に拡散反射させるための反射面８３ｂとを有しており、入射部８３ａが光源８２と対向配置されている。この場合、光源８２が配線基板１上に搭載されることで、前記第１実施形態にて採用した光源８２搭載用の回路基板が不要となるため、部品点数が削減されコストダウンとなる。
【００３６】
かかる実施形態においても、各入射部８３ａを通じて各延長部８３内に入射された各光源８２からの光が、反射面８３ｂによって導光部材８１の長手方向に拡散反射されることで、導光部材８１表面が面状発光すると共にこの光が開口部７７を通過して受光部４４に供給されるため、前記第１実施形態と同様の作用効果を得ることができる。なお、本第２実施形態における延長部８３は、導光部材８１の両端面に限らず、導光部材８１の長手方向に複数箇所設け、導光部材８１を面状発光させるようにしてもよい。
【００３７】
また、前記第１，第２実施形態では支持部材７（開口部７７）の背後に導光部材８１を配置した場合について説明したが、例えば開口部７７に対応する環状凸部を導光部材８１に一体形成し、前記環状凸部を開口部７７内に埋めるようにしてもよい。また、開口部７７内にのみ導光部材８１を配置するようにしてもよい。このように構成したことにより、支持部材７の背後に空間が形成されるため、この空間に表示装置２等の所定部材を配置することができる。
【００３８】
（第３実施形態）図７は本発明の第３実施形態を示しており、本実施形態では指針４を照明するための照明手段８が自発光型表示素子１００からなる場合を示している。すなわち、自発光型表示素子１００は、本実施形態では、一対の電極間にサンドイッチした有機発光層をさらに一対のガラス基板で封止し、前記電極間に直流を供給することで間に挟まれた前記有機発光層が発光する電界発光素子（有機ＥＬ）パネルからなり、指針４の移動経路に沿った略馬蹄形状に形成され、支持部材７の開口部７７に臨むように支持部材７に例えば接着等の手段を用いて固定されている。かかる実施形態においても、自発光型表示素子１００から発せられる光が開口部７７を通過して受光部４４に供給されるため、前記各実施形態と同様の作用効果を得ることができる。なお、自発光型表示素子１００は有機ＥＬパネルではなく、無機ＥＬパネルを採用してもよい。
【００３９】
（第４実施形態）図８は本発明の第４実施形態を示しており、本実施形態では前記第１，第２実施形態にて採用した導光部材８１を廃止して、指針４を照明する照明手段８が複数の光源１１０と、各光源１１０に対応した照明室をそれぞれ有する反射体１２０と備えた場合を示している。
【００４０】
反射体１２０は、白色の合成樹脂からなり、指針４の移動経路に沿うように配設され、反射体１２０を構成する前記各照明室は各光源１１０を収納する開口１２１と、この開口１２１を取り巻くように支持部材７側に傾斜して延びる４つの傾斜面１２２とを備えている。また、各光源１１０は、例えばチップ型発光ダイオードからなり、開口１２１内にそれぞれ収納されている。かかる実施形態においても、各光源１１０から発せられる光は、傾斜面１２２によって前方側に反射され、この光が開口部７７を通過して受光部４４に供給されるため、前記各実施形態と同様の作用効果を得ることができる。
【００４１】
（第５実施形態）図９は本発明の第５実施形態を示しており、本実施形態は前記第４実施形態の変形例を示している。すなわち、本実施形態では指針４を照明する照明手段８が指針４の移動経路に沿って形成された略環状の反射体１３０と、複数の光源１４０とで構成された場合を示している。すなわち、反射体１３０は、例えば白色の合成樹脂からなり、配線基板１と指標板３（支持部材７）との間に配置され、指標板３（支持部材７）を保持する保持部材としての機能、複数の光源１４０からの光を前方側（指針４側）に反射する反射部材としての機能を有している。
【００４２】
反射体１３０は、内部に表示装置２を収納する空間部１３１を有する筒状部１３２と、この筒状部１３２を取り巻くように指標板３側に傾斜して延び各光源１４０と対向する第１の反射部１３３と、各光源１４０を収納する開放部１３４と、この開放部１３４から外周に向けて支持部材７の外側環状突出部７３に近接する皿形状の環状壁からなる第２の反射部１３５と、この第２の反射部１３５の外周を取り巻く周壁部１３６とを備えている。第１の反射部１３３は、光源１４０からの光を外周に反射する反射面を構成し、第２の反射部１３５は第１の反射部１３３を通じて外周に反射された反射光を支持部材７の開口部７７側（指針４側）に反射する反射面を構成している。
【００４３】
また、光源１４０は、第１の反射部１３３と対向するように円弧状に複数個配置されたチップ型発光ダイオードなり、配線基板１上に搭載されている。かかる実施形態においても、光源１４０から発せられた光は各反射部１３３，１３５を通じて開口部７７側に導かれ、この光が開口部７７を通過して指針４の受光部４４に供給されるため、前記各実施形態と同様の作用効果を得ることができる。
【００４４】
また前記各実施形態では、円環形状の合成樹脂からなる回転体５の歯車部５２が駆動装置６の駆動歯車６２に連結されており、駆動装置６の回転駆動に応じて指針４が移動する場合について説明したが、本発明はこれに限定されることはなく、例えば回転体としてベルト等の帯状の柔軟部材を採用し、この帯状の柔軟部材に指針を固定し、この指針付き帯状柔軟部材を駆動装置を通じて柔軟部材の長手方向に移動させるようにしてもよい。
【００４５】
なお前記各実施形態では、支持部材７の隆起部７６が回転体５の環状円板部５４上に沿うように３箇所形成された場合について説明したが、隆起部７６の形成個数は３箇所に限らず、環状円板部５４に沿うように４箇所以上設けてもよい。また、隆起部７６の形状は前記形状に限らず、環状円板部５４に沿うように略円環形状からなる凸形状に設定してもよいし、隆起部７６の表面は曲面ではなく角形に形成してもよい。
【図面の簡単な説明】
【００４６】
【図１】本発明の第１実施形態による指針式計器の正面図である。
【図２】図１のＡ−Ａ断面図である。
【図３】同実施形態による回転体と駆動装置の連結状態、並びに回転体に固定される指針を示す斜視図である。
【図４】図２中、Ｂ部を拡大して示す要部断面図である。
【図５】同実施形態による指針を照明する照明手段を示す斜視図である。
【図６】本発明の第２実施形態による照明手段の要部断面図である。
【図７】本発明の第３実施形態による指針式計器の要部断面図である。
【図８】本発明の第４実施形態による照明手段の正面図である。
【図９】本発明の第５実施形態による指針式計器の要部断面図である。
【符号の説明】
【００４７】
１    配線基板
２    表示装置
３    指標板
４    指針
５    回転体
６    駆動装置
７    支持部材
８    照明手段
９    被覆パネル
３１    第１の透視部（第１の貫通部）
３２    指標部
４２    指示部
４４    受光部
４５    反射面
５１    第２の透視部（第２の貫通部）
７７    開口部
８１    導光部材
８２    光源
【図１】
2005189168.tif 000003
【図２】
2005189168.tif 000004
【図３】
2005189168.tif 000005
【図４】
2005189168.tif 000006
【図５】
2005189168.tif 000007
【図６】
2005189168.tif 000008
【図７】
2005189168.tif 000009
【図８】
2005189168.tif 000010
【図９】
2005189168.tif 000011